(57)【要約】      （修正有）【課題】従来のかつら又は部分かつらよりも、より簡便に装着でき、しかもスタイリングが容易でフィットするかつらベース及び部分かつらを提供すること。【解決手段】前頭部の生え際に沿って着用者の耳の付け根に接する部位と後頭部部位を通過する頭周で両端が縫着された帯状のかつらベース１０であって、該かつらベース１０の耳付け根部部位から後頭部部位の角度αが１３０度から１８０度で、かつらベース１０に人毛或いは人工毛３０を植毛又は縫着してなる部分かつらで、帯状かつらベース１０の幅が３センチメートルから６センチメートルであり、かつらベース１０の資材がコットンなどの天然繊維或いはナイロン、ポリエステルなどの合成繊維からなる布状又はネット状である。【選択図】図１
2007063732.tif 000002
【特許請求の範囲】
【請求項１】
かつらベースは前頭髪の生え際部位に沿って着用者の耳付け根に接する部位とを通過する頭周で両端が縫着された帯状のかつらベースであって、該かつらベースの耳付け根部部位から後頭部部位の角度が１３０度から１８０度である、かつらベースに人毛或いは人工毛を植毛又は縫着してなる部分かつら
【請求項２】
帯状かつらベースの幅が３センチメートルから６センチメートルである請求項１記載のかつらベース及び部分かつら
【請求項３】
帯状かつらベースの素材がコットンなどの天然繊維或いはナイロン、ポリエステルなどの合成繊維からなる布状又はネット状である請求項１又は請求項２のかつらベース及び部分かつら
【発明の詳細な説明】
【技術分野】
【０００１】  本発明は、かつらベース及び部分かつらに関する。
【背景技術】
【０００２】  かつらは一般に頭髪の生え際に沿って頭全体を覆うように形成されたかつらベースに人毛や人工毛を植毛又は、縫着によって構成されている。また、部分かつらは一般に頭髪の内部委や頭髪の薄い部位をおぎなうため、円形や楕円形或いは四角形などの形状からなるベースに人毛又や人工毛を植毛によって構成されている。【０００３】  斯かるかつらは、装着時の位置決めが困難で且つスタイリングも困難であり、装脱着簡便でスタイリングの容易な部分かつらが要望されている。【０００４】  然るにかつらの着用者の頭部形状或いは頭髪の有無には個人差があるためかつらベースが着用者にフィットさせるため、大小様々なサイズや形状のかつら又は部分かつらを製作しているのが現状である。【０００５】  しかしながら、着用者に合わせたかつらや部分かつらであっても装着時は困難でスタイリングの容易さにおいても解決していないのが現状である。
【特許文献１】特開２０００−３２８３３９  公報
【特許文献２】特開２００３−３０６８２１  公報
【発明の開示】
【発明が解決しようとする課題】
【０００６】  以上に述べた従来のかつら又は部分かつらは、装着が難しく且つ、スタイリングが困難である。しかも、頭髪の有無でかつらを選定しなければならず、着用者を満足する物ではなかった。【０００７】  そこで本発明は、従来のかつら又は部分かつらよりも、より簡便に装着でき、しかもスタイリングが容易でフィットするかつらベース及び部分かつらを提供することを課題とした。
【課題を解決するための手段】
【０００８】  上記課題を解決するため、請求項１記載の本発明は、前頭部の生え際に沿って着用者の耳の付け根に接する部位と後頭部部位を通過する頭周で両端が縫着された帯状のかつらベースであって、該かつらベースの耳付け根部部位から後頭部部位の角度が１３０度から１８０度である、かつらベースに人毛或いは人工毛を植毛又は縫着してなる事を特徴とする部分かつらを提供する。【０００９】  請求項２に記載の本発明は、帯状かつらベースの幅が３センチメートルから６センチメートルであることを特徴とする請求項１記載のかつらベース及び部分かつら。【００１０】  請求項３記載の本発明は、帯状かつらベースの素材がコットンなどの天然繊維或いはナイロン、ポリエステルなどの合成繊維からなる布状又はネット状であることを特徴とする請求項１又は請求項２記載のかつらベース及び部分かつらを提供する。
【発明の効果】
【００１１】  上述したように本発明のかつらベース及びかつらは、かつらベースが３センチメートルから６センチメートルの帯状で両端が縫着されたリング形状で有り、且つ、耳付け根部部位を基点として１３０度から１８０度の角度を有しているため装着位置が明確であるので装脱着が簡便で且つ、スタイリングも容易である。また毛髪の有無にかかわらず使用出来るという効果を発揮するものである。
また、本発明の形態から非常に安価なかつらを提供できるという効果も発揮する。
【発明を実施するための最良の形態】
【００１２】  本発明の実施の形態を図面に基づいて詳細に説明する。図１及び図２は、本発明の実施形態に係るかつらベースを示す図であり、図１は右側側面図、図２は右側側面斜視図。図において、符号１０はかつらベース、２０は角度を設けた部分のかつらベース、３０は植毛又は縫着された毛材である。また、符号Ａ，Ｂ，Ｃはそれぞれかつらベースの部位を表す。【００１３】  すなわち、Ａは前頭部生え気は部部位、Ｂは耳の付け根に接する部位、Ｃは後頭部部位である。本実施形態に係わるかつらベース１０はコットンなどの天然繊維或いはナイロン、ポリエステルなどの合成繊維の布状又はネット状から製作され、該かつらベースには人毛或いは人工毛が植毛又は縫着されることにより、部分かつらを構成するものである。【００１４】  該かつらベース１０は図１で示した通り、耳の付け根部部位から後頭部部位にかけて角度１３０度から１８０度の角度を設ける。このように角度を設けることにより、ショートスタイルからロングスタイルまた着用者の頭部形態、頭毛の有無に関係なく簡便に着用でき、スタイリングも容易にすることが出来る。【００１５】  本発明の、使用例を図３に示した。本発明の部分かつら装着は、図Ａ，Ｂ、Ｃの部位を概略あわせ頭部に装着するのみで非常に簡便な装着である。頭髪の無い或いは薄い着用者の場合、装着後帽子又は頭飾品を使用する。頭髪の有する着用者は、本発明の部分かつらを装着した後、自毛でかつらベース部分を覆いスタイリングする。【００１６】  本発明の部分かつらは、頭部の一部分を覆い、且つ、毛先部分のみからなっているためスタイリングは非常に容易である。
【実施例】
【００１７】  本発明の実施例を述べる。かつらベースの製作には、コットン１００パーセントの布を使用し、幅３センチメートルの帯状で耳の付け根部部位を基点として角度が１３０度になるように調整し、両端を縫着した。この時、鬢に相当する突起部を設けても自然感が出て効果があった。【００１８】  該かつらベースに長さ１５センチメートル、直径３センチメートルのカールを施した人工毛を縫着し部分かつらを製作した。該部分かつらを頭髪の有する者と頭髪のない者に着用したが、いずれも簡便に着用でき且つスタイリングが非常に簡便であった。
【産業上の利用可能性】
【００１９】  以上説明したように、本発明のかつらベース及び部分かつらによれば、従来のかつら又は部分かつらよりも、より簡便に装脱着ができスタイリングも容易である。【００２０】  また、本発明の部分かつらは、その形状、構成から安価であり、夏期の暑い季節で着用しても蒸し暑いなどの不快感も無く快適に着用することが出来る。
【図面の簡単な説明】
【図１】図１は、本発明の実施の形態に係わるかつらベースを示す右側側面図である。
【図２】図２は、本発明の実施の形態に係わるかつらベースを示す右側側面斜視図である。
【図３】図３は、本発明の部分かつらの使用事例を示す図である。
【符号の説明】
１０は、かつらベース
２０は、角度を設ける部位
３０は、人毛又は人工毛からなる毛材
Ａは、前頭部生え際部部位
Ｂは、耳の付け根に接する部位
Ｃは、後頭部部位
αは、角度
【図１】
2007063732.tif 000003
【図２】
2007063732.tif 000004
【図３】
2007063732.tif 000005